(57)【要約】【課題】ガスタービン、ガスタービンの制御装置、ガスタービンの起動方法において、再起動時における動翼とケーシングとの接触を防止して適正に再起動可能とする。【解決手段】圧縮機１１と燃焼器１２とタービン１３とを有し、ディスクキャビティ３２の雰囲気温度ＤＣＴを計測する温度計測部４３と、雰囲気温度ＤＣＴに基づいてガスタービン１０の起動制限時間ｔａを設定する起動制限時間設定部４４と、起動制限時間ｔａが経過した後にガスタービン１０を起動可能とする制御装置４１とを設け、起動制限時間設定部４４は、雰囲気温度ＤＣＴが高いほど起動制限時間ｔａを長く設定する。【選択図】図１
2015045321.tif 000002
【特許請求の範囲】
【請求項１】
空気を圧縮する圧縮機と、
前記圧縮機が圧縮した圧縮空気と燃料を混合して燃焼する燃焼器と、
前記燃焼器が生成した燃焼ガスにより回転動力を得るタービンと、
ガスタービンの温度を計測する温度計測部と、
前記温度に基づいて前記ガスタービンの起動制限時間を設定する起動制限時間設定部と、
前記起動制限時間が経過した後に前記ガスタービンを起動可能とする制御装置と、
を有するガスタービンにおいて、
前記起動制限時間設定部は、前記温度が高いほど前記起動制限時間を長く設定する、
ことを特徴とするガスタービン。
【請求項２】
前記温度計測部は、前記タービンのディスクキャビティの雰囲気温度を計測することを特徴とする請求項１に記載のガスタービン。
【請求項３】
前記起動制限時間を表示する表示部が設けられることを特徴とする請求項１または請求項２に記載のガスタービン。
【請求項４】
前記起動制限時間が経過する前に起動操作が行われたときに警報を出力する警報部が設けられることを特徴とする請求項１から請求項３のいずれか一項に記載のガスタービン。
【請求項５】
空気を圧縮する圧縮機と、
前記圧縮機が圧縮した圧縮空気と燃料を混合して燃焼する燃焼器と、
前記燃焼器が生成した燃焼ガスにより回転動力を得るタービンと、
ガスタービンの温度を計測する温度計測部と、
を有するガスタービンにおいて、
前記温度が高いほど長くなる起動制限時間を設定し、前記起動制限時間が経過した後に前記ガスタービンを起動可能とする、
ことを特徴とするガスタービンの制御装置。
【請求項６】
空気を圧縮する圧縮機と、
前記圧縮機が圧縮した圧縮空気と燃料を混合して燃焼する燃焼器と、
前記燃焼器が生成した燃焼ガスにより回転動力を得るタービンと、
を有するガスタービンにおいて、
前記ガスタービンの温度を計測する工程と、
前記温度が高いほど長くなる起動制限時間を設定する工程と、
前記起動制限時間が経過した後に前記ガスタービンを起動する工程と、
を有することを特徴とするガスタービンの起動方法。
【発明の詳細な説明】
【技術分野】
【０００１】
本発明は、例えば、圧縮した高温・高圧の空気に対して燃料を供給して燃焼し、発生した燃焼ガスをタービンに供給して回転動力を得るガスタービン、このガスタービンの制御装置、ガスタービンの起動方法に関するものである。
【背景技術】
【０００２】
一般的なガスタービンは、圧縮機と燃焼器とタービンにより構成されている。圧縮機は、空気取入口から取り込まれた空気を圧縮することで高温・高圧の圧縮空気とする。燃焼器は、この圧縮空気に対して燃料を供給して燃焼させることで高温・高圧の燃焼ガスを得る。タービンは、この燃焼ガスにより駆動し、同軸上に連結された発電機を駆動する。
【０００３】
このガスタービンにおけるタービンは、車室内に複数の静翼と動翼が燃焼ガスの流動方向に沿って交互に配設されて構成されており、燃焼器で生成された燃焼ガスが、複数の静翼と動翼を通過することでロータを駆動回転し、このロータに連結された発電機を駆動する。
【０００４】
ところで、ガスタービンは、運転停止後に再起動する場合、所定の停止期間を確保する必要がある。即ち、ガスタービンにて、内部に収容されるロータディスク（動翼）は、熱容量が大きくて冷却されにくく、一方、外部のケーシング（静翼）は、外部の空気により冷却されやすいため、温度差による熱膨張量の差からオーバル変形し、特に、動翼の先端部とケーシングの内壁部との隙間が狭くなる。そのため、内部に収容されるロータディスク（動翼）が十分に冷却されて隙間が適正量となるまで、冷却期間を確保する必要がある。
【０００５】
このようなガスタービンとしては、例えば、下記特許文献に記載されたものがある。
【先行技術文献】
【特許文献】
【０００６】
【特許文献１】特開２００４−０６０５４４号公報
【特許文献２】特開２００５−２４８７５１号公報
【発明の概要】
【発明が解決しようとする課題】
【０００７】
従来のガスタービンでは、一般的に、起動時に定格回転数に到達した以降に停止した場合、所定の停止期間を確保してから再起動可能としている。しかし、ガスタービンの起動時に、定格回転数に到達する前に停止した場合であっても、燃焼器が作動することから、ロータディスク（動翼）が加熱されて熱膨張することから、動翼の先端部とケーシングの内壁部との隙間が狭くなってしまう。
【０００８】
本発明は、上述した課題を解決するものであり、再起動時における動翼とケーシングとの接触を防止して適正に再起動可能なガスタービン、ガスタービンの制御装置、ガスタービンの起動方法を提供することを目的とする。
【課題を解決するための手段】
【０００９】
上記の目的を達成するための本発明のガスタービンは、空気を圧縮する圧縮機と、前記圧縮機が圧縮した圧縮空気と燃料を混合して燃焼する燃焼器と、前記燃焼器が生成した燃焼ガスにより回転動力を得るタービンと、ガスタービンの温度を計測する温度計測部と、前記温度に基づいて前記ガスタービンの起動制限時間を設定する起動制限時間設定部と、前記起動制限時間が経過した後に前記ガスタービンを起動可能とする制御装置と、を有するガスタービンにおいて、前記起動制限時間設定部は、前記温度が高いほど前記起動制限時間を長く設定する、ことを特徴とするものである。
【００１０】
従って、ガスタービンを再起動するとき、起動制限時間設定部は、ガスタービンの温度に基づいてこの温度が高いほど起動制限時間を長く設定し、制御装置は、この起動制限時間が経過した後にガスタービンを起動可能とする。そのため、起動制限時間が経過する間に、ガスタービンの温度が低下し、動翼の先端部とケーシングの内壁面との間に十分な隙間が確保されていることから、ガスタービンの再起動時における動翼とケーシングとの接触を防止し、適正にガスタービンを再起動することができる。
【００１１】
本発明のガスタービンでは、前記温度計測部は、前記タービンのディスクキャビティの雰囲気温度を計測することを特徴としている。
【００１２】
従って、ガスタービンの再起動時に接触しやすいのは、圧縮機側の動翼とケーシングではあるが、圧縮機側のディスク及び動翼の温度とタービンのディスクキャビティの雰囲気温度とは相関関係がある。そのため、既設の温度計測部を用いることで、製造コストの増加を抑制して圧縮機側のディスク及び動翼の温度を高精度に推定することができる。
【００１３】
本発明のガスタービンでは、前記起動制限時間を表示する表示部が設けられることを特徴としている。
【００１４】
従って、ガスタービンの再起動時に、表示部に起動制限時間が表示されることで、作業者は、ガスタービンの再起動時間を把握することができ、作業性を向上することができる。
【００１５】
本発明のガスタービンでは、前記起動制限時間が経過する前に起動操作が行われたときに警報を出力する警報部が設けられることを特徴としている。
【００１６】
従って、起動制限時間が経過する前に、ガスタービンの起動操作が行われたとき、警報部が警報を出力することから、作業者に対して注意を促すことができる。
【００１７】
また、本発明のガスタービンの制御装置は、空気を圧縮する圧縮機と、前記圧縮機が圧縮した圧縮空気と燃料を混合して燃焼する燃焼器と、前記燃焼器が生成した燃焼ガスにより回転動力を得るタービンと、ガスタービンの温度を計測する温度計測部と、を有するガスタービンにおいて、前記温度が高いほど長くなる起動制限時間を設定し、前記起動制限時間が経過した後に前記ガスタービンを起動可能とする、ことを特徴とするものである。
【００１８】
従って、ガスタービンを再起動するとき、起動制限時間設定部は、ガスタービンの温度に基づいてこの温度が高いほど起動制限時間を長く設定し、制御装置は、この起動制限時間が経過した後にガスタービンを起動可能とする。そのため、起動制限時間が経過する間に、ガスタービンの温度が低下し、動翼の先端部とケーシングの内壁面との間に十分な隙間が確保されていることから、ガスタービンの再起動時における動翼とケーシングとの接触を防止し、適正にガスタービンを再起動することができる。
【００１９】
また、本発明のガスタービンの起動方法は、空気を圧縮する圧縮機と、前記圧縮機が圧縮した圧縮空気と燃料を混合して燃焼する燃焼器と、前記燃焼器が生成した燃焼ガスにより回転動力を得るタービンと、を有するガスタービンにおいて、前記ガスタービンの温度を計測する工程と、前記温度が高いほど長くなる起動制限時間を設定する工程と、前記起動制限時間が経過した後に前記ガスタービンを起動する工程と、を有することを特徴とするものである。
【００２０】
従って、ガスタービンを再起動するとき、起動制限時間設定部は、ガスタービンの温度に基づいてこの温度が高いほど起動制限時間を長く設定し、制御装置は、この起動制限時間が経過した後にガスタービンを起動可能とする。そのため、起動制限時間が経過する間に、ガスタービンの温度が低下し、動翼の先端部とケーシングの内壁面との間に十分な隙間が確保されていることから、ガスタービンの再起動時における動翼とケーシングとの接触を防止し、適正にガスタービンを再起動することができる。
【発明の効果】
【００２１】
本発明のガスタービン、ガスタービンの制御装置、ガスタービンの起動方法によれば、ガスタービンの温度に基づいてこの温度が高いほど起動制限時間を長く設定するので、ガスタービンの再起動時における動翼とケーシングとの接触を防止し、適正にガスタービンを再起動することができる。
【図面の簡単な説明】
【００２２】
【図１】図１は、本実施形態のガスタービンを表す概略構成図である。
【図２】図２は、ディスクキャビティ温度（ＤＣＴ）に対する起動制限時間を表すグラフである。
【図３】図３は、ガスタービンの再起動制御を表すフローチャートである。
【図４】図４は、ガスタービンの再起動制御を表すタイムチャートである。
【発明を実施するための形態】
【００２３】
以下に添付図面を参照して、本発明に係るガスタービン、ガスタービンの制御装置、ガスタービンの起動方法の好適な実施形態を詳細に説明する。なお、この実施形態により本発明が限定されるものではなく、また、実施形態が複数ある場合には、各実施形態を組み合わせて構成するものも含むものである。
【００２４】
図１は、本実施形態のガスタービンを表す概略構成図である。
【００２５】
本実施形態において、図１に示すように、ガスタービン１０は、圧縮機１１と燃焼器１２とタービン１３により構成されている。このガスタービン１０は、同軸上に発電機１４が連結されており、この発電機１４を電動機として使用することで、ガスタービン１０を起動可能であると共に、起動後の動力によりこの発電機１４を駆動することで、発電可能となっている。
【００２６】
圧縮機１１は、空気を取り込む空気取入口２１を有し、圧縮機車室２２内に入口案内翼（ＩＧＶ：Inlet  Guide  Vane）２３と複数の静翼２４と複数の動翼２５が空気の流動方向（後述するロータの軸方向）に交互に配設されている。この圧縮機１１は、空気取入口２１から取り込まれた空気を複数の静翼２４と複数の動翼２５を通して圧縮することで、高温・高圧の圧縮空気を生成することができる。
【００２７】
燃焼器１２は、圧縮機１１で圧縮された高温・高圧の圧縮空気に対して燃料を供給し、燃焼することで、燃焼ガスを生成する。タービン１３は、タービン車室２６内に複数の静翼２７と複数の動翼２８が燃焼ガスの流動方向（後述するロータの軸方向）に交互に配設されている。そして、このタービン車室２６は、図示しないが、下流側に排気車室を介して排気室が配設されている。このタービン１３は、燃焼器１２からの燃焼ガスにより駆動し、同軸上に連結された発電機１４を駆動する。
【００２８】
圧縮機１１と燃焼器１２とタービン１３は、その中心部を貫通するようにロータ軸２９が配置されている。ロータ軸２９は、圧縮機１１側の端部が軸受部３０により回転自在に支持され、タービン１３側の端部が軸受部３１により回転自在に支持されている。そして、このロータ軸２９は、圧縮機１１にて、各動翼が装着されたディスクが複数重ねられて固定されると共に、タービン１３にて、各動翼２８が装着されたディスクが複数重ねられて固定されている。
【００２９】
従って、発電機１４を電動機として使用し、ロータ軸２９を駆動回転すると、圧縮機１１にて、空気取入口２１から取り込まれた空気が、入口案内翼２３、複数の静翼２４と動翼２５を通過して圧縮されることで高温・高圧の圧縮空気となる。燃焼器１２にて、この圧縮空気に対して所定の燃料が供給され、燃焼する。タービン１３にて、燃焼器１２で生成された高温・高圧の燃焼ガスが、タービン１３における複数の静翼２７と動翼２８を通過することでロータ軸２９を駆動回転する。そして、ロータ軸２９の回転が定格回転数となると、発電機１４における電動機としての機能を停止し、ロータ軸２９の回転力により発電機１７を駆動して発電を開始する。
【００３０】
このように構成されたガスタービン１０にて、運転停止後に再起動する場合、所定の停止期間を確保する必要がある。即ち、圧縮機１１にて、圧縮機車室２２内に収容されるロータ軸２９や動翼（ディスク）２５は、熱容量が大きくて冷却されにくく、一方、圧縮機車室２２や静翼２４は、外部の空気により冷却されやすいため、一時的に、温度差が発生してオーバル変形により熱膨張量の差が生じ、動翼２５の先端部と圧縮機車室２２の内壁部との隙間が狭くなる。そのため、この隙間が小さい状態で、ガスタービン１０を再起動すると、動翼２５の先端部が圧縮機車室２２の内壁部に接触してしまうおそれがある。
【００３１】
本実施形態は、これを防止するものであり、ガスタービン１０の再起動時に、ガスタービンの温度に基づいてガスタービンの起動制限時間を設定し、ガスタービンの温度が高いほどこの起動制限時間を長く設定し、この起動制限時間が経過した後にガスタービンを起動可能とするものである。
【００３２】
即ち、制御装置４１は、操作盤４２が接続されており、作業者は、この操作盤４２を操作することで、制御装置４１が発電機１４を駆動制御することができる。即ち、発電機１４に電力を供給して電動機として機能させたり、発電機１４への電力の供給を停止して発電機として機能させたりすることができる。
【００３３】
ガスタービン１０の温度を計測する温度計測部４３が設けられている。この温度計測部４３は、タービン１３のディスクキャビティ３２の雰囲気温度を計測するものである。タービン１３にて、タービン車室２６の内壁部に周方向に沿って複数の静翼２７が等間隔で固定されている。また、ロータ軸２９の外周部に周方向に沿って複数の動翼２８が等間隔で固定されている。この静翼２７と動翼２８は、排気ガス通路にて、ロータ軸２９に軸方向に沿って交互に配置されている。そして、各静翼２７の先端部とロータ軸２９の外周部との間に隙間、つまり、ディスクキャビティ３２が設けられ、ロータ軸２９の外周部から静翼２７の先端部に向けてシール部材が設けられている。そして、静翼２７内に供給された冷却空気をこの静翼２７の先端部から排気ガス通路の上流側に排出することで、シール性を確保している。温度計測部４３は、このディスクキャビティ３２の雰囲気温度を計測する。
【００３４】
また、制御装置４１は、ディスクキャビティ３２の雰囲気温度に基づいてガスタービン１０の起動制限時間を設定する起動制限時間設定部４４を有している。この起動制限時間設定部４４は、ディスクキャビティ３２の雰囲気温度が高いほど、起動制限時間を長く設定する。そして、制御装置４１は、起動制限時間が経過した後にガスタービン１０を起動可能としている。
【００３５】
図２は、ディスクキャビティ温度（ＤＣＴ）に対する起動制限時間ｔａを表すグラフである。動制限時間設定部４４は、ディスクキャビティ３２の雰囲気温度ＤＣＴが高いほど起動制限時間ｔａを長く設定することから、ディスクキャビティ３２の雰囲気温度ＤＣＴが上昇するのに伴って起動制限時間ｔａが長くなるマップを有している。起動制限時間設定部４４は、温度計測部４３が計測したディスクキャビティ３２の雰囲気温度から、このマップを用いて起動制限時間ｔａを設定する。なお、起動制限時間設定部４４は、ガスタービン１０が定格回転数に到達した以降は、温度計測部４３が計測したディスクキャビティ３２の雰囲気温度に拘わらず、起動制限時間ｔａより長い起動制限時間ｔｂを設定する。
【００３６】
起動制限時間ｔａ，ｔｂを表示する表示部４５が設けられ、制御装置４１に接続されている。また、起動制限時間ｔａ，ｔｂが経過する前に、作業者が操作盤４２によりガスタービン１０の起動操作を行ったとき、警報を出力する警報部４６が設けられ、制御装置４１に接続されている。
【００３７】
なお、ガスタービン１０の温度を計測するものとして、タービン１３のディスクキャビティ３２の雰囲気温度を計測する温度計測部４３を用いたが、この構成に限定されるものではない。例えば、ロータ軸、圧縮機１１における動翼２５やディスクキャビティの温度を計測する温度計測部を用いてもよい。
【００３８】
ここで、ガスタービンの起動方法について説明する。
【００３９】
本実施形態のガスタービンの起動方法は、タービン１３におけるディスクキャビティ３２の雰囲気温度ＤＣＴを計測する工程と、雰囲気温度ＤＣＴが高いほど長くなる起動制限時間ｔａを設定する工程と、起動制限時間ｔａが経過した後にガスタービン１０を起動する工程とを有している。
【００４０】
以下、ガスタービンの冷却方法について、具体的に説明する。図３は、ガスタービンの再起動制御を表すフローチャート、図４は、ガスタービンの再起動制御を表すタイムチャートである。
【００４１】
図３に示すように、ステップＳ１１にて、制御装置４１は、発電機１４を電動機として機能させることで、ロータ軸２９を回転駆動することで、ガスタービン（ＧＴ）１０を起動する。そして、ステップＳ１２にて、制御装置４１は、ガスタービン１０のトリップ（失火）を判定している。ここで、ガスタービン１０がトリップせずに正常に起動したと判定（Ｎｏ）されたら、何もしないでこのルーチンを抜ける。
【００４２】
一方、ガスタービン１０がトリップして正常に起動できなかったと判定（Ｙｅｓ）されたら、ステップＳ１３にて、ガスタービン１０が定格回転数に到達する前にトリップしたかどうかを判定する。ここで、ガスタービン１０が定格回転数に到達する前にトリップしたと判定（Ｙｅｓ）されたら、ステップＳ１４にて、起動制限時間設定部４４は、温度計測部４３が計測したディスクキャビティ３２の雰囲気温度からマップ（図２）を用いて起動制限時間ｔａを設定する。一方、ガスタービン１０が定格回転数に到達した後にトリップしたと判定（Ｎｏ）されたら、ステップＳ１５にて、起動制限時間設定部４４は、予め設定された起動制限時間ｔｂを設定する。
【００４３】
そして、制御装置４１は、ステップＳ１６にて、警報部４６によりガスタービン１０がトリップしたとの警報を出し、ステップＳ１７にて、表示部４５により起動制限時間ｔａ，ｔｂを表示する。ここで、作業者は、起動制限時間ｔａ，ｔｂが経過するまでの間が待ち時間となる。そのため、起動制限時間ｔａ，ｔｂが経過する前に、作業者が操作盤４２によりガスタービン１０の起動操作を行うと、警報部４６が警報を出力し、ガスタービン１０の再起動を禁止する。
【００４４】
ステップＳ１８にて、制御装置４１は、ガスタービン１０がトリップしてから起動制限時間ｔａ，ｔｂが経過したかどうかを判定する。ここで、ガスタービン１０がトリップしてから起動制限時間ｔａ，ｔｂが経過していないと判定（Ｎｏ）されたら、この状態を維持する。一方、ガスタービン１０がトリップしてから起動制限時間ｔａ，ｔｂが経過したと判定（Ｙｅｓ）されたら、ガスタービン１０を再起動可能となり、制御装置４１は、作業者が操作盤４２を操作することで、ガスタービン１０の起動操作指令が出力されるのを待ってガスタービン（ＧＴ）１０を再起動する。
【００４５】
また、図４に示すように、ガスタービン（ＧＴ）１０が起動すると、ロータ軸２９の回転数が上昇する。そして、ガスタービン（ＧＴ）１０が正常に起動されたら、時間ｔ１にて、定格回転数となり、その後、負荷（出力）が上昇していく。ところが、例えば、ガスタービン１０が定格回転数に到達する前の時間ｔ１１にて、トリップしたとき、起動制限時間設定部４４は、温度計測部４３が計測したディスクキャビティ３２の雰囲気温度からマップ（図２）を用いて起動制限時間ｔａを設定する。そして、ガスタービン１０がトリップしてから起動制限時間ｔａが経過した後の時間ｔ１２にて、ガスタービン１０を再起動可能となる。
【００４６】
このように本実施形態のガスタービンにあっては、圧縮機１１と燃焼器１２とタービン１３とを有し、ディスクキャビティ３２の雰囲気温度ＤＣＴを計測する温度計測部４３と、雰囲気温度ＤＣＴに基づいてガスタービン１０の起動制限時間ｔａを設定する起動制限時間設定部４４と、起動制限時間ｔａが経過した後にガスタービン１０を起動可能とする制御装置４１とを設け、起動制限時間設定部４４は、雰囲気温度ＤＣＴが高いほど起動制限時間ｔａを長く設定する。
【００４７】
従って、ガスタービン１０を再起動するとき、起動制限時間設定部４４は、ディスクキャビティ３２の雰囲気温度ＤＣＴに基づいてこの雰囲気温度ＤＣＴが高いほど起動制限時間ｔａを長く設定し、制御装置４１は、この起動制限時間ｔａが経過した後にガスタービン１０を起動可能とする。そのため、起動制限時間ｔａが経過する間に、タービン１３における動翼２５やロータ軸２９の温度が低下し、動翼２５の先端部と圧縮機車室２２の内壁面との間に十分な隙間が確保されていることから、ガスタービン１０の再起動時における動翼２５と圧縮機車室２２との接触を防止し、適正にガスタービン１０を再起動することができる。
【００４８】
本実施形態のガスタービンでは、温度計測部として、タービン１３のディスクキャビティ３２の雰囲気温度ＤＣＴを計測する温度計測部４３を適用している。圧縮機１１の動翼２５の温度とタービン１３のディスクキャビティ３２の雰囲気温度とは相関関係がある。そのため、温度計測部４３は、ディスクキャビティ３２の雰囲気温度を適正値に維持する目的で既に設けられており、既設の温度計測部４３を用いることで、製造コストの増加を抑制して圧縮機１１の動翼２５の温度を高精度に推定することができる。
【００４９】
本実施形態のガスタービンでは、起動制限時間を表示する表示部４５を設けている。従って、ガスタービン１０の再起動時に、表示部４５に起動制限時間が表示されるため、作業者は、ガスタービン１０の再起動時間を把握することができ、待ち時間を有効的に利用することで作業性を向上することができる。
【００５０】
本実施形態のガスタービンでは、起動制限時間が経過する前に起動操作が行われたときに警報を出力する警報部４６を設けている。従って、起動制限時間が経過する前に、ガスタービン１０の起動操作が行われたとき、警報部４６が警報を出力することから、作業者に対して注意を促すことができる。
【００５１】
また、本実施形態のガスタービンの制御装置にあっては、ディスクキャビティ３２の雰囲気温度ＤＣＴが高いほど、ガスタービン１０の起動制限時間を長く設定し、起動制限時間が経過した後にガスタービン１０を起動可能としている。従って、起動制限時間が経過する間にガスタービン１０の温度が低下し、動翼２５の先端部と圧縮機車室２２の内壁面との間に十分な隙間が確保されていることから、ガスタービン１０の再起動時における動翼２５と圧縮機車室２２との接触を防止し、適正にガスタービン１０を再起動することができる。
【００５２】
また、本実施形態のガスタービンの起動方法にあっては、ディスクキャビティ３２の雰囲気温度ＤＣＴを計測する工程と、雰囲気温度ＤＣＴが高いほど長くなる起動制限時間ｔａを設定する工程と、起動制限時間ｔａが経過した後にガスタービン１０を起動する工程とを設けている。従って、起動制限時間が経過する間にガスタービン１０の温度が低下し、動翼２５の先端部と圧縮機車室２２の内壁面との間に十分な隙間が確保されていることから、ガスタービン１０の再起動時における動翼２５と圧縮機車室２２との接触を防止し、適正にガスタービン１０を再起動することができる。
【００５３】
なお、上述した実施形態にて、起動制限時間設定部４４は、ガスタービン１０が定格回転数到達前であれば、ディスクキャビティ３２の雰囲気温度から起動制限時間ｔａを設定し、ガスタービン１０の定格回転数到達後であれば、起動制限時間ｔａより長い予め設定された起動制限時間ｔｂを設定するようにしたが、この構成に限定されるものではない。例えば、起動制限時間設定部４４は、ガスタービン１０の回転数に拘わらず、ディスクキャビティ３２の雰囲気温度から起動制限時間を設定してもよい。
【符号の説明】
【００５４】
１０  ガスタービン
１１  圧縮機
１２  燃焼器
１３  タービン
２２  圧縮機車室
２４  静翼
２５  動翼
２６  タービン車室
２７  静翼
２８  動翼
２９  ロータ軸
３２  ディスクキャビティ
４１  制御装置
４２  操作盤（操作部）
４３  温度計測部
４４  起動制限時間設定部
４５  表示部
４６  警報部
【図１】
2015045321.tif 000003
【図２】
2015045321.tif 000004
【図３】
2015045321.tif 000005
【図４】
2015045321.tif 000006